(57)【要約】【課題】画像を表示する表示ディバイスの向きに関係なく、表示画像をパララックスバリア方式によって立体視させる構成において、表示ディバイスの向きに応じた視差バリアのパターン変更を不要にする。【解決手段】視差バリアを、表示ディバイスが発する光を透過させる開口領域１００ｂを多数有する構成とする。各々の開口領域１００ｂを、表示ディバイスの縦横方向に隣接する４画素Ａ〜Ｄからなる各々の画素グループ１５０にそれぞれ対応して配置する（ａ）。各々の開口領域１００ｂの形状および位置を、開口領域１００ｂを通して観察者の右眼および左眼によって個別に視認される表示ディバイスの画素領域における右眼側の視認可能領域Ｅ（ｂ）および左眼側の視認可能領域Ｅ（ｃ）と、開口領域１００ｂが対応する画素グループ１５０との相対的な位置関係が、観察者に対して表示ディバイスが９０度回転する前後において同一となる形状および位置に設定する。【選択図】図５
2011069869.tif 000002
【特許請求の範囲】
【請求項１】
パララックスバリア方式により立体画像を表示する表示装置であって、
複数の画素が配列された表示手段と、
前記表示手段に対向して設けられ、複数の開口領域が互いに間隔をおいて規則的に配置された視差バリアと、
を備え、
前記複数の開口領域のそれぞれが、前記表示手段の所定の表示領域を規則的に分割して得られる画素領域であって、中心に関して９０度の回転対称である所定の画素領域を構成する複数画素からなる画素グループにそれぞれ対応し、
前記複数の開口領域のそれぞれの形状および位置が、開口領域を通して観察者の右眼および左眼によって個別に視認される前記表示手段における右眼側の視認可能領域および左眼側の視認可能領域と、開口領域が対応する画素グループとの相対的な位置関係が、観察者に対して前記表示手段が９０度回転する前後において同一となる形状および位置に設定された
ことを特徴とする表示装置。
【請求項２】
前記画素グループにより構成される画素領域は、前記表示手段の所定の表示領域を縦横方向に分割して得られる画素領域であることを特徴とする請求項１記載の表示装置。
【請求項３】
前記画素グループにより構成される画素領域は、それぞれの中心が三角形をなす位置関係にある画素領域であることを特徴とする請求項１記載の表示装置。
【請求項４】
前記複数の開口領域のそれぞれの形状は正方形であることを特徴とする請求項１又は２，３記載の表示装置。
【請求項５】
前記画素グループは、縦横方向に隣接する４画素からなることを特徴とする請求項１乃至４いずれか記載の表示装置。
【請求項６】
左眼用画像と右眼用画像とが双方の画像における左右方向に交互に配置された立体画像の表示データであって、前記表示手段における各々の画素グループにおいて第１の方向に並ぶ複数画素、または第１の方向と直交する第２の方向に並ぶ複数画素を一組とし、各々の画素グループにおける各組の複数画素に左眼用画像または右眼用画像の同一の画素データを割り当てた表示データを生成する生成手段と、
前記生成手段により生成された表示データを前記表示手段に供給することによって前記表示手段に立体画像を表示させるとともに、前記表示手段における立体画像の表示方向を第１の表示方向と、当該第１の表示方向から９０度回転した第２の表示方向とに制御する表示制御手段と
を備え、
前記表示制御手段は、前記表示手段における立体画像の表示方向を第１の表示方向に制御するとき、前記生成手段に、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成させる一方、前記表示手段における立体表示画像の表示方向を第２の表示方向に制御するとき、前記生成手段に、前記表示手段における各々の画素グループにおいて第２の方向に並ぶ複数画素を一組とし、各々の画素グループにおける各組の複数画素に左眼用画像または右眼用画像の同一の画素データを割り当てた表示データを生成させる
ことを特徴とする請求項１乃至５いずれか記載の表示装置。
【請求項７】
前記表示手段の回転方向の傾き角度に応じた角度情報を取得する角度情報取得手段と、
前記角度情報取得手段により取得された角度情報に基づいて、前記表示手段の回転方向の向きが第１の表示方向と、当該第１の表示方向から９０度回転した第２の表示方向とのいずれに該当するか判断する判断手段と
を備え、
前記表示制御手段は、前記判断手段により前記表示手段の回転方向の向きが第１の表示方向に該当すると判断された場合に、前記表示手段における立体画像の表示方向を第１の表示向きに制御し、かつ前記判断手段により前記表示手段の回転方向の向きが第２の表示方向に該当すると判断された場合に、前記表示手段における立体画像の表示方向を第２の表示向きに制御する
ことを特徴とする請求項１乃至６いずれか記載の表示装置。
【請求項８】
複数の画素が配列された表示手段と、前記表示手段の前面側に設けられ、複数の開口領域が互いに間隔をおいて規則的に配置された視差バリアとを備え、パララックスバリア方式により立体画像を表示する表示装置において、
前記表示手段における立体画像の表示方向を、所定の表示切替タイミングで、第１の表示方向から、当該第１の表示方向から９０度回転した第２の表示方向に制御する
ことを特徴とする画像制御方法。
【請求項９】
複数の画素が配列された表示手段と、前記表示手段の前面側に設けられ、複数の開口領域が互いに間隔をおいて規則的に配置された視差バリアとを備え、パララックスバリア方式により立体画像を表示するとともに、前記複数の開口領域のそれぞれが、前記表示手段の所定の表示領域を規則的に分割して得られる画素領域であって、中心に関して９０度の回転対称である所定の画素領域を構成する複数画素からなる画素グループにそれぞれ対応する表示装置において、
前記表示手段における立体画像の表示方向を、所定の表示切替タイミングで、第１の表示方向から、当該第１の表示方向から９０度回転した第２の表示方向に制御し、
前記表示手段における立体画像の表示方向を第１の表示方向に制御するときには、前記表示手段に供給する表示データとして、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成し、
前記表示手段における立体画像の表示方向を第２の表示方向に制御するときには、前記表示手段に供給する表示データとして、前記表示手段における各々の画素グループにおいて前記第１の方向と直交する第２の方向に並ぶ複数画素を一組とし、各々の画素グループにおける各組の複数画素に左眼用画像または右眼用画像の同一の画素データを生成する
ことを特徴とする画像制御方法。
【請求項１０】
パララックスバリア方式により立体画像を表示する表示装置であって、
複数の画素が配列された表示手段と、
前記表示手段に対向して設けられ、複数の開口領域が互いに間隔をおいて規則的に配置された視差バリアと、
を備え、
前記複数の開口領域が、前記表示手段において立体画像の表示要素となる複数画素からなる画素グループであって、中心部に縦横方向に隣接する４画素が存在し、かつ中心に関して９０度の回転対称である画素領域を構成する画素グループにそれぞれ対応するとともに、前記複数の開口領域のそれぞれの中心が、所定距離だけ離れた位置にある1点を視点として観察したとき、それぞれが対応する画素領域の中心とが一致する
ことを特徴とする表示装置。
【請求項１１】
前記画素グループにより構成される画素領域は、前記表示手段の所定の表示領域を縦横方向に分割して得られる画素領域であることを特徴とする請求項１０記載の表示装置。
【請求項１２】
前記画素グループにより構成される画素領域は、前記表示手段の所定の表示領域を規則的に分割して得られる画素領域であって、それぞれの中心が三角形をなす位置関係にある画素領域であることを特徴とする請求項１１記載の表示装置。
【請求項１３】
前記複数の開口領域のそれぞれの形状は正方形であることを特徴とする請求項１０又は１１，１２記載の表示装置。
【請求項１４】
前記画素グループは、縦横方向に隣接する４画素からなることを特徴とする請求項１０乃至１３いずれか記載の表示装置。
【請求項１５】
左眼用画像と右眼用画像とが双方の画像における左右方向に交互に配置された立体画像の表示データであって、前記表示手段における各々の画素グループにおいて第１の方向に並ぶ複数画素、または第１の方向と直交する第２の方向に並ぶ複数画素を一組とし、各々の画素グループにおける各組の複数画素に左眼用画像または右眼用画像の同一の画素データを割り当てた表示データを生成する生成手段と、
前記生成手段により生成された表示データを前記表示手段に供給することによって前記表示手段に立体画像を表示させるとともに、前記表示手段における立体画像の表示方向を第１の表示方向と、当該第１の表示方向から９０度回転した第２の表示方向とに制御する表示制御手段と
を備え、
前記表示制御手段は、前記表示手段における立体画像の表示方向を第１の表示方向に制御するとき、前記生成手段に、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成させる一方、前記表示手段における立体表示画像の表示方向を第２の表示方向に制御するとき、前記生成手段に、前記表示手段における各々の画素グループにおいて第２の方向に並ぶ複数画素を一組とし、各々の画素グループにおける各組の複数画素に左眼用画像または右眼用画像の同一の画素データを割り当てた表示データを生成させる
ことを特徴とする請求項１０乃至１４いずれか記載の表示装置。
【請求項１６】
前記表示手段の回転方向の傾き角度に応じた角度情報を取得する角度情報取得手段と、
前記角度情報取得手段により取得された角度情報に基づいて、前記表示手段の回転方向の向きが第１の表示方向と、当該第１の表示方向から９０度回転した第２の表示方向とのいずれに該当するか判断する判断手段と
を備え、
前記表示制御手段は、前記判断手段により前記表示手段の回転方向の向きが第１の表示方向に該当すると判断された場合に、前記表示手段における立体画像の表示方向を第１の表示向きに制御し、かつ前記判断手段により前記表示手段の回転方向の向きが第２の表示方向に該当すると判断された場合に、前記表示手段における立体画像の表示方向を第２の表示向きに制御する
ことを特徴とする請求項１０乃至１５いずれか記載の表示装置。
【請求項１７】
複数の画素が配列された表示手段と、前記表示手段の前面側に設けられ、複数の開口領域が互いに間隔をおいて規則的に配置された視差バリアとを備え、パララックスバリア方式により立体画像を表示するとともに、前記複数の開口領域が、前記表示手段において立体画像の表示要素となる複数画素からなる画素グループであって、中心部に縦横方向に隣接する４画素が存在し、かつ中心に関して９０度の回転対称である画素領域を構成する画素グループにそれぞれ対応するとともに、前記複数の開口領域のそれぞれの中心が、所定距離だけ離れた位置にある1点を視点として観察したとき、それぞれが対応する画素領域の中心とが一致する表示装置において、
前記表示手段における立体画像の表示方向を、所定の表示切替タイミングで、第１の表示方向から、当該第１の表示方向から９０度回転した第２の表示方向に制御する
ことを特徴とする画像制御方法。
【請求項１８】
複数の画素が配列された表示手段と、前記表示手段の前面側に設けられ、複数の開口領域が互いに間隔をおいて規則的に配置された視差バリアとを備え、パララックスバリア方式により立体画像を表示するとともに、前記複数の開口領域が、前記表示手段において立体画像の表示要素となる複数画素からなる画素グループであって、中心部に縦横方向に隣接する４画素が存在し、かつ中心に関して９０度の回転対称である画素領域を構成する画素グループにそれぞれ対応するとともに、前記複数の開口領域のそれぞれの中心が、所定距離だけ離れた位置にある1点を視点として観察したとき、それぞれが対応する画素領域の中心とが一致する表示装置において、
前記表示手段における立体画像の表示方向を、所定の表示切替タイミングで、第１の表示方向から、当該第１の表示方向から９０度回転した第２の表示方向に制御し、
前記表示手段における立体画像の表示方向を第１の表示方向に制御するときには、前記表示手段に供給する表示データとして、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成し、
前記表示手段における立体画像の表示方向を第２の表示方向に制御するときには、前記表示手段に供給する表示データとして、前記表示手段における各々の画素グループにおいて前記第１の方向と直交する第２の方向に並ぶ複数画素を一組とし、各々の画素グループにおける各組の複数画素に左眼用画像または右眼用画像の同一の画素データを生成する
ことを特徴とする画像制御方法。
【発明の詳細な説明】
【技術分野】
【０００１】
本発明は、パララックスバリア方式による立体画像の表示技術に関する。
【背景技術】
【０００２】
従来、特殊な眼鏡を必要とせずに立体画像の表示を実現する方法としてパララックスバリア方式が公知である。パララックスバリア方式の表示装置は、主として左眼用画像と右眼用画像とを、それぞれ要素画像を単位として一縦ラインおきに交互に並べて表示する表示ディバイスと、表示ディバイス（左眼用画像と右眼用画像）の手前に設けられる視差バリアとから構成される。視差バリアは、左眼用画像及び右眼用画像の縦方向に延びるとともに左眼用画像及び右眼用画像と同様の周期で横方向に並んだ多数のバリア領域と、各バリア領域の間に形成される多数のスリット領域とから構成される。そして、パララックスバリア方式においては、予め決められている特定距離だけ離れた位置から観察者に視差バリアを介して表示ディバイスを観察させ、観察者の左眼に左眼用画像のみを視認させ、かつ観察者の右眼に右眼用画像のみを視認させることによって、観察者に立体画像を認識させる。つまり観察者に表示画像を立体視させる。
【０００３】
また、例えば下記特許文献１には、視差バリアをドットマトリクス型の液晶パネルにより構成し、表示ディバイスに表示する左眼用画像及び右眼用画像と、液晶パネルに表示（形成）する視差バリアのパターンを以下のように制御する表示装置が記載されている。すなわち下記特許文献１には、表示ディバイスの向きが９０°回転したときには、回転前とは異なり、表示ディバイスには左眼用画像と右眼用画像を９０°回転させた状態で表示させて、左眼用画像と右眼用画像が観察者にとって横方向（左右方向）に並んだ状態を確保する。同時に、液晶パネルには、多数のバリア領域（スリット領域）の並び方向が回転前の方向と直交する視差バリア、つまり異なるパターンを有する視差バリアを表示させ、多数のバリア領域が観察者にとって横方向（左右方向）に並んだ状態を確保する表示装置が記載されている。係る表示装置においては、例えば立体画像の表示中に表示ディバイスの向きが９０°回転した向きに変化したとしても、観察者に支障なく立体画像を認識させるが可能である。
【先行技術文献】
【特許文献】
【０００４】
【特許文献１】特開２００９−５０６３５７号公報
【発明の概要】
【発明が解決しようとする課題】
【０００５】
しかしながら、上記表示装置では、観察者に立体画像を認識させるためには、視差バリアのパターンを、画像を表示する表示ディバイスの向きに応じて、常に多数のバリア領域（スリット領域）が観察者から見て左右方向に並んだ状態となるパターンに制御する必要があった。
【０００６】
本発明は、かかる従来の課題に鑑みてなされたものであり、画像を表示する表示ディバイスの向きを所定方向に９０°回転させたときであってもパララックスバリア方式による表示画像の立体視を可能としつつ、表示ディバイスの向きの変化に応じた視差バリアのパターン変更を不要にすることを目的とする。
【課題を解決するための手段】
【０００７】
前記課題を解決するため、請求項１記載の発明に係る表示装置にあっては、パララックスバリア方式により立体画像を表示する表示装置であって、複数の画素が配列された表示手段と、前記表示手段に対向して設けられ、複数の開口領域が互いに間隔をおいて規則的に配置された視差バリアと、を備え、前記複数の開口領域のそれぞれが、前記表示手段の所定の表示領域を規則的に分割して得られる画素領域であって、中心に関して９０度の回転対称である所定の画素領域を構成する複数画素からなる画素グループにそれぞれ対応し、前記複数の開口領域のそれぞれの形状および位置が、開口領域を通して観察者の右眼および左眼によって個別に視認される前記表示手段における右眼側の視認可能領域および左眼側の視認可能領域と、開口領域が対応する画素グループとの相対的な位置関係が、観察者に対して前記表示手段が９０度回転する前後において同一となる形状および位置に設定されたことを特徴とする。
【０００８】
また、請求項２記載の発明に係る表示装置にあっては、前記画素グループにより構成される画素領域は、前記表示手段の所定の表示領域を縦横方向に分割して得られる画素領域であることを特徴とする。
【０００９】
また、請求項３記載の発明に係る表示装置にあっては、前記画素グループにより構成される画素領域は、それぞれの中心が三角形をなす位置関係にある画素領域であることを特徴とする。
【００１０】
また、請求項４記載の発明に係る表示装置にあっては、前記複数の開口領域のそれぞれの形状は正方形であることを特徴とする。
【００１１】
また、請求項５記載の発明に係る表示装置にあっては、前記画素グループは、縦横方向に隣接する４画素からなることを特徴とする。
【００１２】
また、請求項６記載の発明に係る表示装置にあっては、左眼用画像と右眼用画像とが双方の画像における左右方向に交互に配置された立体画像の表示データであって、前記表示手段における各々の画素グループにおいて第１の方向に並ぶ複数画素、または第１の方向と直交する第２の方向に並ぶ複数画素を一組とし、各々の画素グループにおける各組の複数画素に左眼用画像または右眼用画像の同一の画素データを割り当てた表示データを生成する生成手段と、前記生成手段により生成された表示データを前記表示手段に供給することによって前記表示手段に立体画像を表示させるとともに、前記表示手段における立体画像の表示方向を第１の表示方向と、当該第１の表示方向から９０度回転した第２の表示方向とに制御する表示制御手段とを備え、前記表示制御手段は、前記表示手段における立体画像の表示方向を第１の表示方向に制御するとき、前記生成手段に、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成させる一方、前記表示手段における立体表示画像の表示方向を第２の表示方向に制御するとき、前記生成手段に、前記表示手段における各々の画素グループにおいて第２の方向に並ぶ複数画素を一組とし、各々の画素グループにおける各組の複数画素に左眼用画像または右眼用画像の同一の画素データを割り当てた表示データを生成させることを特徴とする。
【００１３】
また、請求項７記載の発明に係る表示装置にあっては、前記表示手段の回転方向の傾き角度に応じた角度情報を取得する角度情報取得手段と、前記角度情報取得手段により取得された角度情報に基づいて、前記表示手段の回転方向の向きが第１の表示方向と、当該第１の表示方向から９０度回転した第２の表示方向とのいずれに該当するか判断する判断手段とを備え、前記表示制御手段は、前記判断手段により前記表示手段の回転方向の向きが第１の表示方向に該当すると判断された場合に、前記表示手段における立体画像の表示方向を第１の表示向きに制御し、かつ前記判断手段により前記表示手段の回転方向の向きが第２の表示方向に該当すると判断された場合に、前記表示手段における立体画像の表示方向を第２の表示向きに制御することを特徴とする。
【００１４】
また、請求項８記載の発明に係る画像制御方法にあっては、複数の画素が配列された表示手段と、前記表示手段の前面側に設けられ、複数の開口領域が互いに間隔をおいて規則的に配置された視差バリアとを備え、パララックスバリア方式により立体画像を表示する表示装置において、前記表示手段における立体画像の表示方向を、所定の表示切替タイミングで、第１の表示方向から、当該第１の表示方向から９０度回転した第２の表示方向に制御することを特徴とする。
【００１５】
また、請求項９記載の発明に係る画像制御方法にあっては、複数の画素が配列された表示手段と、前記表示手段の前面側に設けられ、複数の開口領域が互いに間隔をおいて規則的に配置された視差バリアとを備え、パララックスバリア方式により立体画像を表示するとともに、前記複数の開口領域のそれぞれが、前記表示手段の所定の表示領域を規則的に分割して得られる画素領域であって、中心に関して９０度の回転対称である所定の画素領域を構成する複数画素からなる画素グループにそれぞれ対応する表示装置において、前記表示手段における立体画像の表示方向を、所定の表示切替タイミングで、第１の表示方向から、当該第１の表示方向から９０度回転した第２の表示方向に制御し、前記表示手段における立体画像の表示方向を第１の表示方向に制御するときには、前記表示手段に供給する表示データとして、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成し、前記表示手段における立体画像の表示方向を第２の表示方向に制御するときには、前記表示手段に供給する表示データとして、前記表示手段における各々の画素グループにおいて前記第１の方向と直交する第２の方向に並ぶ複数画素を一組とし、各々の画素グループにおける各組の複数画素に左眼用画像または右眼用画像の同一の画素データを生成することを特徴とする。
【００１６】
また、請求項１０記載の発明に係る表示装置にあっては、パララックスバリア方式により立体画像を表示する表示装置であって、複数の画素が配列された表示手段と、前記表示手段に対向して設けられ、複数の開口領域が互いに間隔をおいて規則的に配置された視差バリアと、を備え、前記複数の開口領域が、前記表示手段において立体画像の表示要素となる複数画素からなる画素グループであって、中心部に縦横方向に隣接する４画素が存在し、かつ中心に関して９０度の回転対称である画素領域を構成する画素グループにそれぞれ対応するとともに、前記複数の開口領域のそれぞれの中心が、所定距離だけ離れた位置にある１点を視点として観察したとき、それぞれが対応する画素領域の中心とが一致することを特徴とする。
【００１７】
また、請求項１１記載の発明に係る表示装置にあっては、前記画素グループにより構成される画素領域は、前記表示手段の所定の表示領域を縦横方向に分割して得られる画素領域であることを特徴とする。
【００１８】
また、請求項１２記載の発明に係る表示装置にあっては、前記画素グループにより構成される画素領域は、前記表示手段の所定の表示領域を規則的に分割して得られる画素領域であって、それぞれの中心が三角形をなす位置関係にある画素領域であることを特徴とする。
【００１９】
また、請求項１３記載の発明に係る表示装置にあっては、前記複数の開口領域のそれぞれの形状は正方形であることを特徴とする。
【００２０】
また、請求項１４記載の発明に係る表示装置にあっては、前記画素グループは、縦横方向に隣接する４画素からなることを特徴とする。
【００２１】
また、請求項１５記載の発明に係る表示装置にあっては、左眼用画像と右眼用画像とが双方の画像における左右方向に交互に配置された立体画像の表示データであって、前記表示手段における各々の画素グループにおいて第１の方向に並ぶ複数画素、または第１の方向と直交する第２の方向に並ぶ複数画素を一組とし、各々の画素グループにおける各組の複数画素に左眼用画像または右眼用画像の同一の画素データを割り当てた表示データを生成する生成手段と、前記生成手段により生成された表示データを前記表示手段に供給することによって前記表示手段に立体画像を表示させるとともに、前記表示手段における立体画像の表示方向を第１の表示方向と、当該第１の表示方向から９０度回転した第２の表示方向とに制御する表示制御手段とを備え、前記表示制御手段は、前記表示手段における立体画像の表示方向を第１の表示方向に制御するとき、前記生成手段に、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成させる一方、前記表示手段における立体表示画像の表示方向を第２の表示方向に制御するとき、前記生成手段に、前記表示手段における各々の画素グループにおいて第２の方向に並ぶ複数画素を一組とし、各々の画素グループにおける各組の複数画素に左眼用画像または右眼用画像の同一の画素データを割り当てた表示データを生成させることを特徴とする。
【００２２】
また、請求項１６記載の発明に係る表示装置にあっては、前記表示手段の回転方向の傾き角度に応じた角度情報を取得する角度情報取得手段と、前記角度情報取得手段により取得された角度情報に基づいて、前記表示手段の回転方向の向きが第１の表示方向と、当該第１の表示方向から９０度回転した第２の表示方向とのいずれに該当するか判断する判断手段とを備え、前記表示制御手段は、前記判断手段により前記表示手段の回転方向の向きが第１の表示方向に該当すると判断された場合に、前記表示手段における立体画像の表示方向を第１の表示向きに制御し、かつ前記判断手段により前記表示手段の回転方向の向きが第２の表示方向に該当すると判断された場合に、前記表示手段における立体画像の表示方向を第２の表示向きに制御することを特徴とする。
【００２３】
また、請求項１７記載の発明に係る画像制御方法にあっては、複数の画素が配列された表示手段と、前記表示手段の前面側に設けられ、複数の開口領域が互いに間隔をおいて規則的に配置された視差バリアとを備え、パララックスバリア方式により立体画像を表示するとともに、前記複数の開口領域が、前記表示手段において立体画像の表示要素となる複数画素からなる画素グループであって、中心部に縦横方向に隣接する４画素が存在し、かつ中心に関して９０度の回転対称である画素領域を構成する画素グループにそれぞれ対応するとともに、前記複数の開口領域のそれぞれの中心が、所定距離だけ離れた位置にある１点を視点として観察したとき、それぞれが対応する画素領域の中心とが一致する表示装置において、前記表示手段における立体画像の表示方向を、所定の表示切替タイミングで、第１の表示方向から、当該第１の表示方向から９０度回転した第２の表示方向に制御することを特徴とする。
【００２４】
また、請求項１８記載の発明に係る画像制御方法にあっては、複数の画素が配列された表示手段と、前記表示手段の前面側に設けられ、複数の開口領域が互いに間隔をおいて規則的に配置された視差バリアとを備え、パララックスバリア方式により立体画像を表示するとともに、前記複数の開口領域が、前記表示手段において立体画像の表示要素となる複数画素からなる画素グループであって、中心部に縦横方向に隣接する４画素が存在し、かつ中心に関して９０度の回転対称である画素領域を構成する画素グループにそれぞれ対応するとともに、前記複数の開口領域のそれぞれの中心が、所定距離だけ離れた位置にある１点を視点として観察したとき、それぞれが対応する画素領域の中心とが一致する表示装置において、前記表示手段における立体画像の表示方向を、所定の表示切替タイミングで、第１の表示方向から、当該第１の表示方向から９０度回転した第２の表示方向に制御し、前記表示手段における立体画像の表示方向を第１の表示方向に制御するときには、前記表示手段に供給する表示データとして、前記表示手段における各々の画素グループにおいて第１の方向に並ぶ複数画素を一組とし、各々の画素グループにおける各組の複数画素に左眼用画像または右眼用画像の同一の画素データを割り当てた表示データを生成し、前記表示手段における立体画像の表示方向を第２の表示方向に制御するときには、前記表示手段に供給する表示データとして、前記表示手段における各々の画素グループにおいて前記第１の方向と直交する第２の方向に並ぶ複数画素を一組とし、各々の画素グループにおける各組の複数画素に左眼用画像または右眼用画像の同一の画素データを生成することを特徴とする。
【発明の効果】
【００２５】
本発明によれば、画像を表示する表示ディバイスの向きを所定方向に９０°回転させたときであってもパララックスバリア方式による表示画像の立体視を可能としつつ、表示ディバイスの向きの変化に応じた視差バリアのパターン変更を不要にすることが可能となる。
【図面の簡単な説明】
【００２６】
【図１】本発明に係る表示装置を備えた携帯電話機の外観図である。
【図２】表示部の概略構造を示す斜視図である。
【図３】バリア表示素子を示す断面図である。
【図４】表示モジュールの表示領域における画素配列（ａ）と、視差バリアのパターン（ｂ）とを示す模式図である。
【図５】視差バリアの開口領域と表示モジュールの画素グループとの関係を示す模式図である。
【図６】視差バリアの開口領域と表示モジュールの画素グループとの関係を示す模式図である。
【図７】携帯電話機の電気的構成の要部のみを示すブロック図である。
【図８】制御部による画像表示処理を示すフローチャートである。
【図９】３Ｄ画像の表示データを示す模式図である。
【図１０】携帯電話機における３Ｄ画像の表示動作を示す説明図である。
【図１１】表示部の向きが「横向き」の場合と「縦向き」の場合とにおいて共通する、３Ｄ画像の表示状態における観察者の右眼及び左眼の視線を示した視線説明図である。
【図１２】視差バリアのパターンを示す模式図である。
【図１３】視差バリアの開口領域と表示モジュールの画素グループとの関係を示す模式図である。
【図１４】表示部の向きが「横向き」のときの表示モジュールの視認可能領域を示す模式図である。
【図１５】表示部の向きが「縦向き」のときの表示モジュールの視認可能領域を示す模式図である。
【図１６】３Ｄ画像の表示データを示す模式図である。
【図１７】携帯電話機における３Ｄ画像の表示動作を示す説明図である。
【発明を実施するための形態】
【００２７】
以下、本発明の実施形態について説明する。
（実施形態１）
まず、本発明の第１の実施形態について説明する。図１は、本発明に係る表示装置を備えた携帯電話機１の外観図である。この携帯電話機１は折り畳み型であり、ヒンジ部２を介して開閉自在に連結された本体部３と蓋部４とから構成されている。なお、図１は、蓋部４を開いた状態を示した図である。
【００２８】
本体部３には、音声入力用のマイク５と、ユーザが携帯電話機１の操作に際して使用する操作ボタン群６が設けられている。蓋部４には、文字情報や画像情報等の種々の情報を表示する長方形の表示部７と、音声出力用のスピーカ８とが設けられている。
【００２９】
図２は、表示部７の概略構造を示す斜視図である。表示部７は、パララックスバリア方式による立体画像の表示を可能とする構成であり、蓋部４に組み込まれた表示モジュール９と、表示モジュール９の前面に配置されたバリア表示素子１０とから構成されている。
【００３０】
表示モジュール９は、表示部７に表れているとともに文字情報や画像情報を表示する表示領域を有する表示ディバイスであり、本発明の表示手段として機能する。表示モジュール９が表示する画像情報には、通常の静止画像や動画像と、観察者に立体画像として認識される１組の左眼用画像と右眼用画像からなる静止画像や動画像が含まれる。以下の説明においては、通常の静止画像や動画像を２Ｄ画像と呼び、一組の左眼用画像と右眼用画像とからなる静止画像や動画像を３Ｄ（three-dimensional）画像と呼ぶこととする。
【００３１】
表示モジュール９は、例えば液晶素子、ＥＬ（Electroluminescence）素子等の表示素子（以下、サブピクセルと呼ぶ。）を有する透過型、又は自発光型であるとともに、多数の表示素子が縦横方向に配列されたドットマトリクス型の表示ディバイスである。表示モジュール９の各サブピクセルには、例えばカラーフィルタによって赤色（Ｒ）、緑色（Ｇ）及び青色（Ｂ）の３色のいずれかの色が、所定の配色パターンに応じてそれぞれ割り当てられている。
【００３２】
図４（ａ）は、表示モジュール９の表示領域における画素配列を示した図である。図４（ａ）に示したように、表示モジュール９においてはサブピクセル９ａの形状、及び配色パターンが一般的なドットマトリクス型の表示ディバイスと同様である。
【００３３】
すなわち表示モジュール９においては、サブピクセル９ａが、図４（ａ）にＨで示した水平ライン方向とＶで示した垂直ライン方向との長さの比が１：３である長方形である。また、表示モジュール９における各サブピクセル９ａに対する配色パターンは、水平ライン方向ＨにＲ，Ｇ，Ｂの３色が順に繰り返して配置され、かつ垂直ライン方向Ｖに同一の色が並んで配置されたものである。また、表示モジュール９においては、水平ライン方向Ｈに並んだＲ，Ｇ，Ｂの３色のサブピクセル９ａ，９ａ，９ａにより１画素（ピクセル：pixel）Ｐが構成されている。つまり表示モジュール９は方向性のある画素配列を有している。
【００３４】
そして、表示モジュール９においては、画像を表示するとき、表示対象の画像の各画素の色に応じて各画素Ｐを構成する一組のサブピクセルの階調レベル（輝度レベル）が制御されることによりカラー表示が行われる。つまりＲＧＢ空間分割方式によってカラー表示が行われる。
【００３５】
なお、以下の説明においては、表示モジュール９の水平ライン方向Ｈが図１に示した表示部７の長辺方向Ａと一致し、かつ表示モジュール９の垂直ライン方向Ｖが図１に示した表示部７の短辺方向Ｂと一致していることを前提とする。
【００３６】
バリア表示素子１０は、表示モジュール９に３Ｄ画像（右眼用画像と左眼用画像）が表示されているとき、表示モジュール９から照射される光を選択的に遮る特定のパターンを有する本発明の視差バリアを表示する。
【００３７】
バリア表示素子１０は、パッシブ型ＴＮ液晶素子であって、図３に示したように、液晶セル１１と、液晶セル１１の下面側（光の入射側）と上面側（光の射出側）とに配置された一対の偏光板１２，１３とから構成されている。液晶セル１１は、一対の透明基板１４，１５の相対向する面にそれぞれ形成された透明電極１６，１７と、透明電極１６，１７に被覆された配向膜１８，１９と、配向膜１８，１９が対向する密閉空間に封入された液晶２０から構成されている。
【００３８】
また、バリア表示素子１０は、一対の偏光板１２，１３が、各々の偏光方向が互いに９０度の角度をなすように配置された、一般にノーマリーホワイトと呼ばれる構成である。また、バリア表示素子１０においては、液晶セル１１の上面側の透明電極１６又は下面側の透明電極１７の一方側が、後述する視差バリア１００の遮光領域１００ａに応じた形状となっている。したがって、バリア表示素子１０においては、透明電極１６，１７に所定の駆動電圧が印加されたときには、後述する視差バリア１００を表示することにより表示モジュール９が発する特定の画素領域の光を遮断する。また、バリア表示素子１０は、透明電極１６，１７に所定の駆動電圧が印加されていないときには、表示モジュール９が発する全ての画素領域の光を透過させる。
【００３９】
図４（ｂ）は、バリア表示素子１０が表示する視差バリア１００を示した図である。図４（ｂ）に示したように、視差バリア１００は、表示モジュール９が発する光を遮断する遮光領域１００ａと、縦横方向に一定の間隔をおいて規則的に配置され、表示モジュール９が発する光を透過させる多数の開口領域１００ｂとから構成される。なお、以下の説明では、図４（ｂ）に示した開口領域１００ｂの配置を便宜上マトリクス型の配置と呼ぶ。
【００４０】
各々の開口領域１００ｂの形状は、表示モジュール９における水平ライン方向Ｈに並んだ３色のサブピクセル９ａからなる各画素と同様に正方形であり、また各々の開口領域１００ｂの大きさも各画素と同一である。なお、開口領域１００ｂの大きさについては、必ずしも各画素と同一でなくともよく、縦方向および横方向の画素間の隙間分（サブピクセル９ａの配置間隔分）を含めた大きさ以下であれば構わない。
【００４１】
各々の開口領域１００ｂは、表示モジュール９の表示領域における全画素を２画素を単位として水平ライン方向Ｈ、及び垂直ライン方向Ｖに分割して得られる４画素からなる各々の画素グループ、つまり中心に関して９０度の回転対称である正方形の画素領域に対応した位置にそれぞれ配置されている。なお、各々の画素グループは、表示モジュール９が３Ｄ画像を表示するときには３Ｄ画像の表示要素として機能する。
【００４２】
視差バリア１００の任意の開口領域１００ｂと、その開口領域１００ｂと対応する画素グループとの具体的な位置関係は、図５（ａ）に示した通りである。
【００４３】
すなわち図５（ａ）は、バリア表示素子１０（表示モジュール９）の中心を通るとともにバリア表示素子１０の表面に垂直な直線上に存在する、バリア表示素子１０からの距離が３Ｄ画像の立体視が可能となる設計上の所定距離である基準点（１点）を視点としてバリア表示素子１０を見たときの、互いに対応する開口領域１００ｂと画素グループ１５０との位置関係を示した図である。つまり各々の開口領域１００ｂは、上記の基準点と、各々の開口領域１００ｂが対応する画素グループ１５０（画素Ａ，Ｂ，Ｃ，Ｄ）の中心Ｏとを結ぶ直線上に各々の中心が位置するように配置されている。
【００４４】
これにより、バリア表示素子１０に視差バリア１００が表示されている状態で、観察者が上記の基準点から表示モジュール９を観察する際、任意の開口領域１００ｂを通して観察者の右眼及び左眼によって視認することができる表示モジュール９の画面上の領域（以下、視認可能領域という。）は、以下に述べる領域となっている。
【００４５】
図５（ｂ）は、観察者にとっての左右方向が表示モジュール９における水平ライン方向Ｈと一致しているとき、観察者の右眼によって視認することができる視認可能領域Ｅを示した図である。図５（ｂ）に示したように、右眼側の視認可能領域Ｅは、開口領域１００ｂが対応する画素グループ１５０の左側に位置する上下２画素Ａ，Ｃに跨る領域であって、上側に位置する画素Ａの下半分と下側に位置する画素Ｃの上半分とからなる領域である。
【００４６】
また、図５（ｃ）は、観察者にとっての左右方向が表示モジュール９における水平ライン方向Ｈと一致しているとき、観察者の左眼によって視認することができる視認可能領域Ｅを示した図である。図５（ｃ）に図示したように、左眼側の視認可能領域Ｅは、開口領域１００ｂが対応する画素グループ１５０の右側位置する上下２画素Ｂ，Ｄに跨る領域であって、上側に位置する画素Ｂの下半分と下側に位置する画素Ｄの上半分とからなる領域である。
【００４７】
ここで、互いに対応する視差バリア１００の任意の開口領域１００ｂと表示モジュール９の画素グループ１５０（画素Ａ，Ｂ，Ｃ，Ｄ）との位置関係は、図６（ａ）に示したように、表示部７が９０°回転した状態であっても同一である。つまり互いに対応する開口領域１００ｂと画素グループ１５０との位置関係は、観察者にとっての左右方向が表示モジュール９における垂直ライン方向Ｖと一致するように変化した場合であっても同一である。また、先に述べたように視差バリア１００における各々の開口領域１００ｂの形状は正方形である。なお、図６（ａ）は、表示部７が時計回りに９０°回転した状態での図５（ａ）に対応する図である。
【００４８】
したがって、表示モジュール９の全ての画素グループ１５０においては、各々の画素グループ１５０を構成する４画素と前述した視認可能領域との相対的な位置関係が、表示部７（表示モジュール９とバリア表示素子１０）が９０°回転した場合においても同一である。つまり任意の画素グループ１５０を構成する４画素と前述した視認可能領域との相対的な位置関係は、観察者にとっての左右方向が表示モジュール９における水平ライン方向Ｈと一致している場合と、観察者にとっての左右方向が表示モジュール９における垂直ライン方向Ｖと一致している場合とにおいて同一である。
【００４９】
図６（ｂ）は、表示部７が時計回りに９０°回転し、観察者にとっての左右方向が表示モジュール９における垂直ライン方向Ｖと一致しているとき、観察者の右眼によって視認することができる視認可能領域Ｅを示した図５（ｂ）に対応した図である。また、図６（ｃ）は、表示部７が時計回りに９０°回転し、観察者にとっての左右方向が表示モジュール９における垂直ライン方向Ｖと一致しているとき、観察者の左眼によって視認することができる視認可能領域Ｅを示した図５（ｃ）に対応した図である。
【００５０】
ただし、先に述べたように表示モジュール９の画素配列には方向性がある。したがって、観察者の右眼、又は左眼によって視認することができる視認可能領域Ｅに含まれる具体的なサブピクセルの範囲については、観察者にとっての左右方向が表示モジュール９における水平ライン方向Ｈと一致しているときと、表示モジュール９における垂直ライン方向Ｖと一致しているときとでは以下のように異なることとなる。
【００５１】
例えば図５（ｂ）に示したように、観察者にとっての左右方向が表示モジュール９における水平ライン方向Ｈと一致しているとき、各々の画素グループ１５０における視認可能領域Ｅには、観察者から見て上側に位置する画素Ａを構成する全ての色のサブピクセルＲａ，Ｇａ，Ｂａの１／２の領域と、観察者から見て下側に位置する画素Ｃを構成する全ての色のサブピクセルＲｃ，Ｇｃ，Ｂｃの１／２の領域とが含まれる。
【００５２】
これに対し、例えば図６（ｂ）に示したように、観察者にとっての左右方向が表示モジュール９における垂直ライン方向Ｖと一致しているとき、各々の画素グループ１５０における視認可能領域Ｅには次のサブピクセルが含まれる。すなわち視認可能領域Ｅには、観察者から見て上側に位置する画素Ｃを構成する緑色のサブピクセルＧｃの１／２の領域、及び青色のサブピクセルＧｃの全領域と、観察者から見て下側に位置する画素Ｄを構成する赤色のサブピクセルＲｄの全領域、及び緑色のサブピクセルＧｄの１／２の領域とが含まれる。
【００５３】
一方、図７は、携帯電話機１の電気的構成の要部を示したブロック図である。図７に示したように携帯電話機１は、キー入力部５１と、制御部５２、表示データ生成部５３、表示モジュール９及びバリア表示素子１０、角度検出部５４、データ記憶部５５、プログラム記憶部５６を備えている。
【００５４】
キー入力部５１は、図１に示した操作ボタン群６を含み、ユーザに操作された操作ボタンに応じた操作信号を制御部５２へ供給する。
【００５５】
制御部５２は、ＣＰＵ（Central Processing Unit）、及びその周辺回路、ＣＰＵの作業用メモリ等とから構成されている。制御部５２は、所定の制御プログラムと、キー入力部５１から供給される操作信号とに基づき動作し、携帯電話機１を制御する。また、制御部５２は、必要に応じて後述する画像表示処理を実行するとともに、画像表示処理に際しては本発明の表示制御手段、判断手段として機能する。
【００５６】
表示データ生成部５３は、制御部５２によってデータ記憶部５５から読み出された画像データや文字データ等に応じた表示データを生成し、生成した表示データを表示モジュール９に供給する。そして、表示データ生成部５３は、３Ｄ画像（右眼用画像と左眼目用画像）の画像データに応じた表示データを生成する際には本発明の生成手段として機能する。
【００５７】
角度検出部５４は、携帯電話機１が蓋部４を開いた状態（図１参照）にあるときの表示部７の傾き角度を検出する。具体的に説明すると、角度検出部５４は、本体部３に設けられた角度センサと、角度センサの検出信号を増幅する増幅回路や、増幅後の検出信号を処理する信号処理回路等から構成されている。そして、角度検出部５４は、処理後の検出信号を表示部７の傾き角度を示す角度情報として制御部５２へ供給することにより、本発明の角度情報取得手段として機能する。
【００５８】
なお、角度検出部５４が検出する具体的な傾き角度は、表示部７の画面（表示モジュール９、及びバリア表示素子１０の表示画面）が水平面に対して一定角度を超えて傾いている状態での表示部７の回転方向の傾き角度である。
【００５９】
データ記憶部５５は、例えばフラッシュメモリ等の不揮発性メモリであり、データ記憶部５５には、アドレス帳を構成するアドレス情報や、電子メールデータや、携帯電話機１が有する各々の機能に関する設定情報、２Ｄ画像や３Ｄ画像の画像データが記憶されている。
【００６０】
プログラム記憶部５６は、制御部５２に携帯電話機１を制御させるための前述した制御プログラムが格納されたＲＯＭ（Read Only Memory）等のメモリである。
【００６１】
図８は、携帯電話機１が、データ記憶部５５に記憶されている画像データに基づく静止画像（以下、単に画像と呼ぶ。）を表示部７に表示する際に制御部５２が実行する画像表示処理の内容を示したフローチャートである。
【００６２】
以下、制御部５２における画像表示処理を図８に従って具体的に説明する。まず、画像表示処理において制御部５２は、表示対象の画像データをデータ記憶部５５から読み出す（ステップＳ１）。なお、表示対象の画像は、ユーザ（観察者）が所定のボタン操作により選択した任意の画像である。
【００６３】
次に、制御部５２は、角度検出部５４から供給された表示部７の傾き角度を示す角度情報に基づいて、表示部７の向きを判断する（ステップＳ２）。制御部５２が判断する表示部７の向きは「横向き」と「縦向き」との２種類である。つまりステップＳ２において制御部５２は、表示部７の状態が「縦向き」と「横向き」とのいずれの状態に近いか判断する。ここで、「横向き」とは、図１、及び図１０（ａ）の左側に示したようにスピーカ８が左側に位置する状態のときの向きであり、表示部７の長辺方向Ａ（表示モジュール９の水平ライン方向Ｈ）が観察者にとって左右方向となる向きである。また、「縦向き」とは、図１０（ａ）の右側に示したように、横向きの状態から時計回りに９０°回転した状態のときの向きであり、表示部７の長辺方向Ａが観察者にとって上下方向となる向きである。
【００６４】
次に、制御部５２は、ステップＳ２の処理で判断した表示部７の向きに応じて画像データを適正化する（ステップＳ３）。画像データの適正化処理は、画像データを表示モジュール９の画面に最大の大きさで表示するために、画像データの画素サイズを、縦横比を維持したまま表示モジュール９における水平ライン方向Ｈと垂直ライン方向Ｖとの画素数に応じて縮小する処理である。なお、制御部５２は、表示対象が３Ｄ画像である場合には、左眼用画像と右眼用画像との双方の画像データを適正化する。
【００６５】
引き続き、制御部５２は、表示対象が２Ｄ画像である場合には（ステップＳ４：「２Ｄ」）、適正化後の画像データを表示データ生成部４３に供給し、表示データ生成部５３に２Ｄ画像の表示データを生成させる（ステップＳ５）。そして、制御部５２は、表示データ生成部５３が生成した２Ｄ画像の表示データを表示モジュール９に供給することによって表示モジュール９を駆動し、表示モジュール９に２Ｄ画像を表示させる（ステップＳ６）。
【００６６】
一方、制御部５２は、表示対象が３Ｄ画像である場合（ステップＳ４：「３Ｄ」）、制御部５２は、直ちにバリア表示素子１０に所定の駆動電圧を供給することによって、図４（ｂ）に示した視差バリア１００をバリア表示素子１０に表示させる（ステップＳ７）。次に、制御部５２は、表示データ生成部５３に表示部７の向きに応じた３Ｄ画像の表示データを生成させる処理を実行する。
【００６７】
まずステップＳ２の処理で判断した表示部７の向きが、図１０（ａ）の左側に示した「横向き」であった場合の処理（ステップＳ８：ＹＥＳ）、つまり表示モジュール９の水平ライン方向Ｈが、例えば実際の水平方向と一致、又はほぼ一致している場合の処理について説明する。
【００６８】
表示部７の向きが「横向き」であった場合、制御部５２は、処理対象の画像データ、すなわち左眼用画像と右眼用画像との画像データを表示データ生成部４３に供給し、表示データ生成部５３に、図９（ａ）に示した３Ｄ画像の表示データを生成させる（ステップＳ９）。
【００６９】
ステップＳ９の処理において表示データ生成部４３が生成する表示データは、左眼用画像の縦方向１ラインの画素データと右眼用画像の縦方向１ラインの画素データとを、表示モジュール９の各々の垂直ラインに水平ライン方向Ｈに沿って１画素毎に交互に割り当て、同時に表示モジュール９の同一垂直ラインに、同一の画素グループ１５０の２画素を一組として、同一の画素データを割り当てた表示データである。
【００７０】
すなわち表示部７の向きが「横向き」のときの表示データは、画素グループ１５０毎に、観察者から見て左側に位置する上下２画素Ａ，Ｃに右眼用画像の同一の画素データを割り当て、かつ観察者から見て右側に位置する上下２画素Ｂ，Ｄに左眼用画像の同一の画素データを割り当てた表示データである。
【００７１】
つまり、表示データ生成部４３が生成する表示データは、従来のパララックスバリア方式における表示データとは異なり、左眼用画像と右眼用画像との双方の画像における横方向１ライン分の画素データを、観察者から見て上下に位置する表示モジュール９の横方向２ラインに割り当てた表示データである。
【００７２】
次に、上記の処理とは異なり、ステップＳ２の処理で判断した表示部７の向きが、図１０（ａ）の右側に示した「縦向き」であった場合の処理（ステップＳ８：ＮＯ）、つまり表示モジュール９における水平ライン方向Ｈが、例えば垂直方向と一致、又はほぼ一致しているような場合の処理について説明する。
【００７３】
表示部７の向きが「縦向き」であった場合、制御部５２は、処理対象の画像データ、すなわち左眼用画像と右眼用画像との画像データを表示データ生成部４３に供給し、表示データ生成部５３に、図９（ｂ）に示した３Ｄ画像の表示データを生成させる（ステップＳ１０）。
【００７４】
ステップＳ１０の処理において表示データ生成部４３が生成する表示データは、左眼用画像の縦方向１ラインの画素データと右眼用画像の縦方向１ラインの画素データとを、表示モジュール９の各々の水平ラインに垂直ライン方向Ｖに沿って１画素毎に交互に割り当て、同時に表示モジュール９の同一水平ラインに、同一の画素グループ１５０の２画素を一組として同一の画素データを割り当てた表示データである。
【００７５】
すなわち表示部７の向きが「縦向き」のときの表示データは、画素グループ１５０毎に、観察者から見て左側に位置する上下２画素Ｃ，Ｄに右眼用画像の同一の画素データを割り当て、かつ観察者から見て右側に位置する上下２画素Ａ，Ｂに左眼用画像の同一の画素データを割り当てた表示データである。
【００７６】
つまり、表示部７の向きが「縦向き」であった場合においても、表示データ生成部４３が生成する表示データは、従来のパララックスバリア方式における表示データとは異なり、左眼用画像と右眼用画像との双方の画像における横方向１ライン分の画素データを、観察者から見て上下に位置する表示モジュール９の横方向２ラインに割り当てた表示データである。
【００７７】
そして、制御部５２は、ステップＳ９の処理、又はステップＳ１０の処理において、表示データ生成部５３が生成した３Ｄ画像の表示データを表示モジュール９に供給することによって、表示モジュール９に３Ｄ画像を表示させる（ステップＳ１０）。
【００７８】
図１０（ｂ）は、制御部５２が上述した画像表示処理を実行することによって表示部７に３Ｄ画像が表示されているときの表示部７の部分拡大図であり、図１０（ａ）に対応する図である。
【００７９】
図１０（ｂ）に示したように、表示部７に３Ｄ画像が表示されているときには、図９（ａ）、又は図９（ｂ）に示した表示データからなる３Ｄ画像が表示モジュール９に表示される。つまり表示モジュール９には、表示部７の向きに関係なく、各々の画素グループ１５０の観察者から見て左側に位置する上下２画素に右眼用画像Ｒが表示され、各々の画素グループ１５０の観察者から見て右側に位置する上下２画素に左眼用画像Ｌが表示される。
【００８０】
一方、既説しように観察者が設計上の所定距離だけ離れた位置から視差バリア１００の各々の開口領域１００ｂを通して表示モジュール９を観察するとき、観察者の右眼によって視認可能な表示モジュール９上の視認可能領域には、観察者から見て左側に位置する各々の画素グループ１５０における上下２画素が含まれる。同時に、観察者の左眼によって視認可能な表示モジュール９上の視認可能領域には、観察者から見て右側に位置する各々の画素グループ１５０における上下２画素が含まれる。
【００８１】
したがって、表示部７に３Ｄ画像が表示されているとき、観察者は、表示部７の向きに関係なく、右眼によって表示モジュール９の各々の画素グループ１５０の左側に位置する上下２画素のみを視認することができる。同時に、観察者は左眼によって表示モジュール９の各々の画素グループ１５０の右側に位置する上下２画素のみを視認することができる。その結果、観察者は表示部７の向きに関係なく表示部７に表示された３Ｄ画像を立体視することができる。
【００８２】
図１１は、表示部７の向きが「横向き」の場合と「縦向き」の場合とにおいて共通する、観察者Ｍの右眼及び左眼の視線を模式的に示した図であり、図１１（ａ）は平面図、図１１（ｂ）は側面図である。
【００８３】
なお、図８のフローチャートでは省略したが、制御部５２は、携帯電話機１が表示部７に３Ｄ画像を表示している間、ステップＳ１１の処理後においては、ステップＳ２の処理と同様の処理によって表示部７の向きを逐次判断する。そして、制御部５２は、表示部７の向きが「横向き」から「縦向き」に変化したり、逆に「縦向き」から「横向き」に変化したときを表示切替タイミングとして、バリア表示素子１０に視差バリア１００を表示させたままで、ステップＳ８〜ステップＳ１１の処理を繰り返し実行する。
【００８４】
以上説明したように、携帯電話機１においては、バリア表示素子１０が表示する視差バリア１００が、各々の開口領域１００ｂがマトリクス型に配置された特定のパターンを有するものであるため、表示部７に３Ｄ画像を表示するときには、表示モジュール９の向きに応じて視差バリア１００のパターンを変更せずとも、表示モジュール９の向きに関係なく観察者に３Ｄ画像を立体視させることができる。
【００８５】
しかも、３Ｄ画像の表示に際して制御部５２は、表示部７の向きが「横向き」であるときには、左眼用画像Ｌと右眼用画像Ｒとにおける横方向１ライン分の画素データを、表示モジュール９の水平ラインＨ方向の２ラインに割り当てる。また、制御部５２は、表示部７の向きが「縦向き」であるときには、左眼用画像Ｌと右眼用画像Ｒとにおける横方向１ライン分の画素データを、表示モジュール９の垂直ラインＶ方向の２ラインに割り当てる。
【００８６】
つまり、表示モジュール９に表示される３Ｄ画像は、左眼用画像Ｌと右眼用画像Ｒとにおける横方向１ライン分の画素データが、表示部７の向きに関係なく、常に観察者から見て上下に位置する表示モジュール９の横方向の２ラインに割り当てられたものである。
【００８７】
したがって、先に説明したように、表示モジュール９上における各々の開口領域１００ｂに対応する視認可能領域が表示部７の向き（「横向き」と「縦向き」）によって異なっていたとしても、観察者には、表示部７の向きに関係なく３Ｄ画像を同一の画質状態で立体視させることができる。
【００８８】
（実施形態２）
次に、本発明の第２の実施形態について説明する。以下に説明する第２の実施形態は、図１〜図３、図７に示した第１の実施形態と同様の構成を有する携帯電話機において、バリア表示素子１０が第１の実施形態とは異なる特定のパターンを有する視差バリアを表示するものである。
【００８９】
本実施形態におけるバリア表示素子１０は、液晶セル１１の上面側の透明電極１６又は下面側の透明電極１７の一方側が、図１２に示した視差バリア２００の遮光領域２００ａに応じた形状に成形されている。つまりバリア表示素子１０は、透明電極１６，１７に所定の駆動電圧が印加されたとき、図１２に示した視差バリア２００を表示することにより、表示モジュール９が発する特定の画素領域の光を遮断する。
【００９０】
図１２に示したように、本実施形態における視差バリア２００は、表示モジュール９が発する光を遮断する遮光領域２００ａと、表示モジュール９が発する光を透過させる規則的に配置された多数の開口領域２００ｂとからなる特定のパターンを備えている。各々の開口領域２００ｂの形状、及び大きさは、第１の実施形態の視差バリア１００の開口領域１００ｂと同様である。
【００９１】
ただし本実施形態の視差バリア２００においては、各々の開口領域２００ｂが、横方向に一定の間隔をおいて配置されるとともに１行毎に横方向の位置がずれており、隣接する３つの開口領域２００ｂが三角形をなすように配置されている。なお、以下の説明では、図１２に示した開口領域１００ｂの配置を便宜上デルタ型の配置と呼ぶ。
【００９２】
視差バリア２００においては、各々の開口領域２００ｂが、表示モジュール９において水平ライン方向Ｈ、及び垂直ライン方向Ｖに互いに隣接する４画素からなる各々の画素グループに対応した位置にそれぞれ配置されている。視差バリア２００の任意の開口領域２００ｂと、その開口領域２００ｂと対応する画素グループとの具体的な位置関係は、図１３に示した通りである。
【００９３】
すなわち図１３は、バリア表示素子１０（表示モジュール９）の中心を通るとともにバリア表示素子１０の表面に垂直な直線上に存在する、バリア表示素子１０からの距離が３Ｄ画像の立体視が可能となる設計上の所定距離である基準点（１点）を視点としてからバリア表示素子１０を見たときの、互いに対応する開口領域２００ｂと画素グループ２５０（画素Ａ，Ｂ，Ｃ，Ｄ）との位置関係を示した図である。
【００９４】
図１３に示したように、本実施形態においては、各々の開口領域２００ｂが対応する各々の画素グループ２５０が、水平ライン方向Ｈの位置が１行毎（２水平ライン毎）に１画素分だけずれており、隣接する３つの画素グループ２５０の中心Ｏが三角形をなす関係にある。
【００９５】
そして、本実施形態の視差バリア２００においても、各々の開口領域２００ｂは、上記の基準点と、各々の開口領域２００ｂが対応する画素グループ２５０（画素Ａ，Ｂ，Ｃ，Ｄ）の中心Ｏとを結ぶ直線上に各々の中心が位置するように配置されている。
【００９６】
これにより、第１の実施形態と同様、バリア表示素子１０に視差バリア２００が表示されている状態で、観察者が上記の基準点から表示モジュール９を観察する際、任意の開口領域２００ｂを通して観察者の右眼及び左眼によって視認することができる表示モジュール９の画面上の視認可能領域は、以下に述べる領域となっている。
【００９７】
図１４（ａ）は、観察者にとっての左右方向が表示モジュール９における水平ライン方向Ｈと一致しているとき、観察者の右眼によって視認することができる視認可能領域Ｅを示した図である。図１４（ａ）に示したように、右眼側の視認可能領域Ｅは、開口領域２００ｂが対応する画素グループ２５０の左側に位置する上下２画素Ａ，Ｃに跨る領域であって、上側に位置する画素Ａの下半分と下側に位置する画素Ｃの上半分とからなる領域である。
【００９８】
また、図１４（ｂ）は、観察者にとっての左右方向が表示モジュール９における水平ライン方向Ｈと一致しているとき、観察者の左眼によって視認することができる視認可能領域Ｅを示した図である。図１４（ｂ）に図示したように、左眼側の視認可能領域Ｅは、開口領域２００ｂが対応する画素グループ２５０の右側位置する上下２画素Ｂ，Ｄに跨る領域であって、上側に位置する画素Ｂの下半分と下側に位置する画素Ｄの上半分とからなる領域である。
【００９９】
さらに、本実施形態においても、第１の実施形態と同様、表示部７（表示モジュール９とバリア表示素子１０）が９０°回転した状態、つまり観察者にとっての左右方向が表示モジュール９における垂直ライン方向Ｖと一致している場合であっても、任意の画素グループ２５０を構成する４画素と前述した視認可能領域との相対的な位置関係は同一である。
【０１００】
図１５（ａ）は、表示部７が時計回りに９０°回転し、観察者にとっての左右方向が表示モジュール９における垂直ライン方向Ｖと一致しているとき、観察者の右眼によって視認することができる視認可能領域Ｅを示した図１４（ａ）に対応した図である。また、図１５（ａ）は、表示部７が時計回りに９０°回転し、観察者にとっての左右方向が表示モジュール９における垂直ライン方向Ｖと一致しているとき、観察者の左眼によって視認することができる視認可能領域Ｅを示した図１４（ｂ）に対応した図である。
【０１０１】
ただし、先に述べたように表示モジュール９の画素配列には方向性がある。そのため、本実施形態においても、観察者の右眼、又は左眼によって視認することができる視認可能領域Ｅに含まれる具体的なサブピクセルの範囲は、第１の実施形態と同様、観察者にとっての左右方向が表示モジュール９における水平ライン方向Ｈと一致しているときと、表示モジュール９における垂直ライン方向Ｖと一致しているときとでは、互いに異なることとなる。
【０１０２】
そして、本実施形態の携帯電話機においても、制御部５２は、必要に応じて図８に示した画像表示処理を実行することにより、表示部７に２Ｄ画像や３Ｄ画像を表示させる。ただし、先に述べたように、視差バリア２００の各々の開口領域２００ｂが対応する各々の画素グループ２５０は、表示モジュール９の画素領域内における相互の位置関係が、第１の実施形態で説明した各々の画素グループ２５０と異なっている。そのため、制御部５２は、表示部７に３Ｄ画像を表示させる際には、前述したステップＳ９の処理では、以下に説明する３Ｄ画像の表示データを表示データ生成部５３に生成させる。
【０１０３】
図１６（ａ）は、ステップＳ８の処理に際して表示データ生成部４３が生成する、表示部７の向きが「横向き」のとき、つまり図１、及び図１０（ａ）の左側に示した向きのときの３Ｄ画像の表示データを示した図である。図１６（ａ）に示したように、表示部７の向きが「横向き」のときの表示データは、表示モジュール９の同一水平ラインの各画素に、右眼用画像の画素データと左眼用画像の画素データを１画素毎に交互に割り当て、かつ表示モジュール９の同一垂直ラインの各画素に、右眼用画像の画素データと左眼用画像の画素データを、同一の画素グループ２５０の２画素を単位として交互に割り当てた表示データである。同時に、表示部７の向きが「横向き」のときの表示データは、表示モジュール９の同一垂直ラインにおける同一の画素グループ２５０の２画素を一組として、同一の画素データを割り当てた表示データである。
【０１０４】
すなわち、表示部７の向きが「横向き」のときの表示データは、画素グループ２５０毎に、観察者から見て左側に位置する上下２画素Ａ，Ｃに右眼用画像の同一の画素データを割り当て、かつ観察者から見て右側に位置する上下２画素Ｂ，Ｄに左眼用画像の同一の画素データを割り当てた表示データである。
【０１０５】
一方、本実施形態において制御部５２がステップＳ１０の処理で表示データ生成部５３に生成させる３Ｄ画像の表示データ、つまり表示部７の向きが「縦向き」のとき、つまり図１、及び図１０（ａ）の右側に示した向きのときの表示データについては、以下のように第１の実施形態と同様である。
【０１０６】
図１６（ｂ）は、ステップＳ９の処理に際して表示データ生成部４３が生成する、表示部７の向きが「縦向き」のときの３Ｄ画像の表示データを示した図である。図１６（ｂ）に示したように、表示部７の向きが「縦向き」のときの表示データは、左眼用画像の縦方向１ラインの画素データと右眼用画像の縦方向１ラインの画素データとを、表示モジュール９の各々の水平ラインに垂直ライン方向Ｖに沿って１画素毎に交互に割り当て、同時に表示モジュール９の同一水平ラインにおける同一の画素グループ２５０の２画素を一組として、同一の画素データを割り当てた表示データである。
【０１０７】
すなわち、表示部７の向きが「横向き」のときの表示データは、画素グループ２５０毎に、観察者から見て左側に位置する上下２画素Ｃ，Ｄに右眼用画像の同一の画素データを割り当て、かつ観察者から見て右側に位置する上下２画素Ａ，Ｂに左眼用画像の同一の画素データを割り当てた表示データである。
【０１０８】
図１７は、図１０に対応する図であって、図１７（ｂ）は、本実施形態において、表示部７に３Ｄ画像が表示されているときの表示部７の部分拡大図である。
【０１０９】
図１７（ｂ）に示したように、表示部７に３Ｄ画像が表示されているときには、図１６（ａ）、又は図１６（ｂ）に示した表示データからなる３Ｄ画像が表示モジュール９に表示される。つまり表示モジュール９には、表示部７の向きに関係なく、各々の画素グループ２５０の観察者から見て左側に位置する上下２画素に右眼用画像Ｒが表示され、各々の画素グループ２５０の観察者から見て右側に位置する上下２画素に左眼用画像Ｌが表示される。
【０１１０】
また、既説しように観察者が設計上の所定距離だけ離れた位置から視差バリア２００の各々の開口領域２００ｂを通して表示モジュール９を観察するとき、観察者の右眼によって視認可能な表示モジュール９上の視認可能領域には、観察者から見て左側に位置する各々の画素グループ２５０における上下２画素が含まれる。同時に、観察者の左眼によって視認可能な表示モジュール９上の視認可能領域には、観察者から見て右側に位置する各々の画素グループ２５０における上下２画素が含まれる。
【０１１１】
したがって、表示部７に３Ｄ画像が表示されているとき、観察者は、表示部７の向きに関係なく、右眼によって表示モジュール９の各々の画素グループ２５０の左側に位置する上下２画素のみを視認することができる。同時に、観察者は左眼によって表示モジュール９の各々の画素グループ２５０の右側に位置する上下２画素のみを視認することができる。その結果、観察者は表示部７の向きに関係なく表示部７に表示された３Ｄ画像を立体視することができる。
【０１１２】
以上説明したように、本実施形態の携帯電話機においては、バリア表示素子１０が表示する視差バリア２００が、各々の開口領域２００ｂがデルタ型に配置された特定のパターンを有するものであるため、表示部７に３Ｄ画像を表示するときには、表示モジュール９の向きに応じて視差バリア２００のパターンを変更せずとも、表示モジュール９の向きに関係なく観察者に３Ｄ画像を立体視させることができる。
【０１１３】
しかも、本実施形態においても、３Ｄ画像の表示際して制御部５２は、表示部７の向きが「横向き」であるときには、左眼用画像Ｌと右眼用画像Ｒとにおける横方向１ライン分の画素を、表示モジュール９の水平ラインＨ方向の２ラインに割り当てる。また、制御部５２は、表示部７の向きが「縦向き」であるときには、左眼用画像Ｌと右眼用画像Ｒとにおける横方向１ライン分の画素を、表示モジュール９の垂直ラインＶ方向の２ラインに割り当てる。
【０１１４】
つまり、表示モジュール９に表示される３Ｄ画像は、左眼用画像Ｌと右眼用画像Ｒとにおける横方向１ライン分の画素が、表示部７の向きに関係なく、常に観察者から見て上下に位置する表示モジュール９の横方向の２ラインに割り当てられたものである。
【０１１５】
したがって、先に説明したように、表示モジュール９上における各々の開口領域１００ｂに対応する視認可能領域が表示部７の向き（「横向き」と「縦向き」）によって異なっていたとしても、観察者には、表示部７の向きに関係なく３Ｄ画像を同一の画質状態で立体視させることができる。
【０１１６】
（他の実施形態）
以上説明した第１の実施形態、及び第２の実施形態においては、制御部５２が、角度検出部５４から供給された表示部７の傾き角度を示す角度情報に基づいて、表示部７の向きが「横向き」と「縦向き」とのいずれであるか判断し、表示モジュール９における３Ｄ画像の表示方向を自動的に制御する構成とした。しかし、本発明を携帯電話機、その他の任意の表示装置に適用する際には、表示装置等を以下のように構成してもよい。すなわち表示装置等には、ユーザからボタン操作等によって表示方向の切り替え指示があった時点を表示切替タイミングとして３Ｄ画像の表示方向を切り替える構成を採用してもよい。
【０１１７】
また、バリア表示素子１０は、開口領域１００ｂがマトリクス型に配置された視差バリア１００や開口領域２００ｂがデルタ型に配置された視差バリア２００が表示できるものであれば、任意の構成を備えたものに適宜変更することができる。例えばバリア表示素子１０は、表示する視差バリアのパターンが固定されたものに限らず、ドットマトリクス型の液晶パネル等のように、表示する視差バリアのパターンを変更可能な構成を有するものに変更することができる。さらに、本発明を３Ｄ画像のみを表示する表示装置に適用する場合には、バリア表示素子１０は、開口領域がマトリクス型やデルタ型等に配置された特定のパターンを有する視差バリアを常時に形成する任意のディバイス等に変更することができる。
【０１１８】
また、本発明を任意の表示装置に適用する際には、３Ｄ画像を表示ディバイスが有する表示領域の全域ではなく一部の領域に表示させる構成としてもよく、係る構成を採用する場合、視差バリアは、３Ｄ画像を表示させる一部の領域のみに対応して設ければよい。
【符号の説明】
【０１１９】
１    携帯電話機
７    表示部
９    表示モジュール
９ａ    サブピクセル
１０    バリア表示素子
５２    制御部
５３    表示データ生成部
５４    角度検出部
５５    データ記憶部
５６    プログラム記憶部
１００    視差バリア
１００ａ    遮光領域
１００ｂ    開口領域
１５０    画素グループ
２００    視差バリア
２００ａ    遮光領域
２００ｂ    開口領域
２５０    画素グループ
Ｅ    視認可能領域
Ｈ    水平ライン方向
Ｖ    垂直ライン方向
【図１】
2011069869.tif 000003
【図２】
2011069869.tif 000004
【図３】
2011069869.tif 000005
【図４】
2011069869.tif 000006
【図５】
2011069869.tif 000007
【図６】
2011069869.tif 000008
【図７】
2011069869.tif 000009
【図８】
2011069869.tif 000010
【図９】
2011069869.tif 000011
【図１０】
2011069869.tif 000012
【図１１】
2011069869.tif 000013
【図１２】
2011069869.tif 000014
【図１３】
2011069869.tif 000015
【図１４】
2011069869.tif 000016
【図１５】
2011069869.tif 000017
【図１６】
2011069869.tif 000018
【図１７】
2011069869.tif 000019
【手続補正書】
【提出日】平成22年9月30日(2010.9.30)
【手続補正１】
【補正対象書類名】明細書
【補正対象項目名】０００４
【補正方法】変更
【補正の内容】
【０００４】
【特許文献１】特表２００９−５０６３５７号公報
【手続補正２】
【補正対象書類名】明細書
【補正対象項目名】０００７
【補正方法】変更
【補正の内容】
【０００７】
前記課題を解決するため、請求項１記載の発明は、パララックスバリア方式により立体画像を表示する表示装置であって、表示領域に複数の画素が配列された表示手段と、前記表示領域に対向して設けられた視差バリアと、を備え、前記視差バリアは、光の透過領域としての開口領域が予め定めた数の前記画素に対して１つが対応するように複数形成されているとともに、前記開口領域が９０度の回転に対して回転対称になる形状に形成されていることを特徴とする。
【手続補正３】
【補正対象書類名】明細書
【補正対象項目名】０００８
【補正方法】変更
【補正の内容】
【０００８】
また、請求項２記載の発明は、請求項１記載の表示装置であって、前記表示手段は、カラーフィルタがストライプ配列されているとともに、互いに異なる色成分が割り当てられた３つのサブピクセルにより１つの画素が形成され、前記開口領域は、前記開口領域を通して予め定めた位置から前記表示領域を観察する観察者の右眼によって視認可能なサブピクセルの面積が各色成分間で等しくなるように、且つ、前記観察者の左眼によって視認可能なサブピクセルの面積が各色成分間で等しくなるように、配置されていることを特徴とする。
【手続補正４】
【補正対象書類名】明細書
【補正対象項目名】０００９
【補正方法】変更
【補正の内容】
【０００９】
また、請求項３記載の発明は、請求項１記載の表示装置であって、前記表示手段は、カラーフィルタがストライプ配列されているとともに、互いに異なる色成分が割り当てられた３つのサブピクセルにより１つの画素が形成され、前記開口領域は、前記観察者に対して前記表示手段と前記視差バリアとを９０度回転させる前と後との両方において、前記開口領域を通して予め定めた位置から前記表示領域を観察する観察者の右眼によって視認可能なサブピクセルの面積が各色成分間で等しくなるように、且つ、前記観察者の左眼によって視認可能なサブピクセルの面積が各色成分間で等しくなるように、配置されていることを特徴とする。
【手続補正５】
【補正対象書類名】明細書
【補正対象項目名】００１０
【補正方法】変更
【補正の内容】
【００１０】
また、請求項４記載の発明は、請求項３記載の表示装置であって、前記開口領域は、４つの画素に対して１つが対応するように形成されていることを特徴とする。
【手続補正６】
【補正対象書類名】明細書
【補正対象項目名】００１１
【補正方法】変更
【補正の内容】
【００１１】
また、請求項５記載の発明は、請求項４記載の表示装置であって、前記開口領域は、前記観察者の右眼により２つの画素が予め定めた１つの前記開口領域を通して同時に視認可能に、且つ、前記観察者の左眼により前記２つの画素とは異なる２つの画素が前記予め定めた１つの開口領域を通して同時に視認可能に、配置されていることを特徴とする。
【手続補正７】
【補正対象書類名】明細書
【補正対象項目名】００１２
【補正方法】変更
【補正の内容】
【００１２】
また、請求項６記載の発明は、請求項５記載の表示装置であって、前記予め定めた１つの開口領域を通して前記観察者の右眼により同時に視認可能な２つの画素に対して右眼用画像として同一の画素データを割り当てるとともに、前記予め定めた１つの開口領域を通して前記観察者の左眼により同時に視認可能な２つの画素に対して左眼用画像として同一の画素データを割り当てる制御部を備えたことを特徴とする。
【手続補正８】
【補正対象書類名】明細書
【補正対象項目名】００１３
【補正方法】変更
【補正の内容】
【００１３】
また、請求項７記載の発明は、請求項１乃至６いずれか記載の表示装置であって、前記開口領域は、形状が正方形に形成されていることを特徴とする。
【手続補正９】
【補正対象書類名】明細書
【補正対象項目名】００１４
【補正方法】変更
【補正の内容】
【００１４】
また、請求項８記載の発明は、パララックスバリア方式により立体画像を表示する表示装置であって、第１の画素と、前記第１の画素に対して第１の方向に隣接する第２の画素と、前記第１の画素に対して前記第１の方向に直交する第２の方向に隣接する第３の画素と、前記第３の画素に対して前記第１の方向に隣接する第４の画素と、が表示領域に形成された表示手段と、前記表示領域に対向して設けられた視差バリアと、前記画素に画素データを割り当てる制御部と、前記表示手段の回転状態を判定する判定部と、を備え、前記制御部は、前記判定部により前記表示手段が第１の回転状態にあると判定されたときに、前記第１の画素と前記第２の画素とに右眼用画像として同一の画素データを割り当てるとともに、前記第３の画素と前記第４の画素とに左眼用画像として同一の画素データを割り当て、前記判定部により前記表示手段が前記第１の回転状態から予め定めた方向に９０度回転した第２の回転状態にあると判定されたときに、前記第２の画素と前記第４の画素とに右眼用画像として同一の画素データを割り当てるとともに、前記第１の画素と前記第３の画素とに左眼用画像として同一の画素データを割り当てることを特徴とする。
【手続補正１０】
【補正対象書類名】明細書
【補正対象項目名】００１５
【補正方法】変更
【補正の内容】
【００１５】
また、請求項９記載の発明は、請求項８記載の表示装置であって、前記視差バリアは、前記第１の画素と前記第２の画素と前記第３の画素と前記第４の画素とに共通に対応した光の透過領域としての開口領域が形成されていることを特徴とする。
【手続補正１１】
【補正対象書類名】明細書
【補正対象項目名】００１６
【補正方法】変更
【補正の内容】
【００１６】
また、請求項１０記載の発明は、請求項９記載の表示装置であって、前記開口領域は、９０度の回転に対して回転対称になる形状に形成されていることを特徴とする。
【手続補正１２】
【補正対象書類名】明細書
【補正対象項目名】００１７
【補正方法】変更
【補正の内容】
【００１７】
また、請求項１１記載の発明は、請求項１０記載の表示装置であって、前記開口領域は、前記表示手段が前記第１の回転状態にあるときに、前記開口領域を通して予め定めた位置から前記表示領域を観察する観察者の右眼によって前記第１の画素と前記第２の画素とが視認可能なように、且つ、前記観察者の左眼によって前記第３の画素と前記第４の画素とが視認可能なように、配置されていることを特徴とする。
【手続補正１３】
【補正対象書類名】明細書
【補正対象項目名】００１８
【補正方法】変更
【補正の内容】
【００１８】
また、請求項１２記載の発明は、請求項１１記載の表示装置であって、前記開口領域は、前記表示手段が前記第１の回転状態にあるときに、前記開口領域を通して予め定めた位置から前記表示領域を観察する観察者の右眼によって前記第３の画素と前記第４の画素とが視認されないように、且つ、前記観察者の左眼によって前記第１の画素と前記第２の画素とが視認されないように、配置されていることを特徴とする。
【手続補正１４】
【補正対象書類名】明細書
【補正対象項目名】００１９
【補正方法】変更
【補正の内容】
【００１９】
また、請求項１３記載の発明は、請求項１１記載の表示装置であって、前記開口領域は、前記表示手段が前記第２の回転状態にあるときに、前記開口領域を通して予め定めた位置から前記表示領域を観察する観察者の右眼によって前記第２の画素と前記第４の画素とが視認可能なように、且つ、前記観察者の左眼によって前記第１の画素と前記第３の画素とが視認可能なように、配置されていることを特徴とする請求項１１記載の表示装置。
【手続補正１５】
【補正対象書類名】明細書
【補正対象項目名】００２０
【補正方法】変更
【補正の内容】
【００２０】
また、請求項１４記載の発明は、請求項１３記載の表示装置であって、前記開口領域は、前記表示手段が前記第２の回転状態にあるときに、前記開口領域を通して予め定めた位置から前記表示領域を観察する観察者の右眼によって前記第１の画素と前記第３の画素とが視認されないように、且つ、前記観察者の左眼によって前記第２の画素と前記第４の画素とが視認されないように、配置されていることを特徴とする。
【手続補正１６】
【補正対象書類名】明細書
【補正対象項目名】００２１
【補正方法】変更
【補正の内容】
【００２１】
また、請求項１５記載の発明は、請求項８乃至１４いずれか記載の表示装置であって、前記表示手段は、カラーフィルタがストライプ配列され、前記第１の画素と前記第２の画素と前記第３の画素と前記第４の画素のそれぞれは、互いに異なる色成分が割り当てられた３つのサブピクセルにより形成されていることを特徴とする。
【手続補正１７】
【補正対象書類名】明細書
【補正対象項目名】００２２
【補正方法】変更
【補正の内容】
【００２２】
また、請求項１６記載の発明は、請求項１５記載の表示装置であって、前記カラーフィルタは、前記第１の方向に沿って同一の色成分が延伸するように、且つ、前記第２の方向に沿って異なる色成分が交互に配置されるように、ストライプ配列されていることを特徴とする。
【手続補正１８】
【補正対象書類名】明細書
【補正対象項目名】００２３
【補正方法】変更
【補正の内容】
【００２３】
また、請求項１７記載の発明は、パララックスバリア方式により立体画像を表示する画像制御方法であって、表示手段が第１の回転状態にあるときに、第１の画素と前記第１の画素に対して第１の方向に隣接する第２の画素とに右眼用画像として同一の画素データを割り当てるとともに、前記第１の画素に対して前記第１の方向に直交する第２の方向に隣接する第３の画素と前記第３の画素に対して前記第１の方向に隣接する第４の画素とに左眼用画像として同一の画素データを割り当て、前記表示手段が前記第１の回転状態から予め定めた方向に９０度回転した第２の回転状態にあるときに、前記第２の画素と前記第４の画素とに右眼用画像として同一の画素データを割り当てるとともに、前記第１の画素と前記第３の画素とに左眼用画像として同一の画素データを割り当てることを特徴とする。
【手続補正１９】
【補正対象書類名】明細書
【補正対象項目名】００２４
【補正方法】削除
【補正の内容】
【手続補正２０】
【補正対象書類名】特許請求の範囲
【補正対象項目名】全文
【補正方法】変更
【補正の内容】
【特許請求の範囲】
【請求項１】
パララックスバリア方式により立体画像を表示する表示装置であって、
表示領域に複数の画素が配列された表示手段と、
前記表示領域に対向して設けられた視差バリアと、
を備え、
前記視差バリアは、光の透過領域としての開口領域が予め定めた数の前記画素に対して１つが対応するように複数形成されているとともに、前記開口領域が９０度の回転に対して回転対称になる形状に形成されていることを特徴とする表示装置。
【請求項２】
前記表示手段は、カラーフィルタがストライプ配列されているとともに、互いに異なる色成分が割り当てられた３つのサブピクセルにより１つの画素が形成され、
前記開口領域は、前記開口領域を通して予め定めた位置から前記表示領域を観察する観察者の右眼によって視認可能なサブピクセルの面積が各色成分間で等しくなるように、且つ、前記観察者の左眼によって視認可能なサブピクセルの面積が各色成分間で等しくなるように、配置されていることを特徴とする請求項１記載の表示装置。
【請求項３】
前記表示手段は、カラーフィルタがストライプ配列されているとともに、互いに異なる色成分が割り当てられた３つのサブピクセルにより１つの画素が形成され、
前記開口領域は、前記観察者に対して前記表示手段と前記視差バリアとを９０度回転させる前と後との両方において、前記開口領域を通して予め定めた位置から前記表示領域を観察する観察者の右眼によって視認可能なサブピクセルの面積が各色成分間で等しくなるように、且つ、前記観察者の左眼によって視認可能なサブピクセルの面積が各色成分間で等しくなるように、配置されていることを特徴とする請求項１記載の表示装置。
【請求項４】
前記開口領域は、４つの画素に対して１つが対応するように形成されていることを特徴とする請求項３記載の表示装置。
【請求項５】
前記開口領域は、前記観察者の右眼により２つの画素が予め定めた１つの前記開口領域を通して同時に視認可能に、且つ、前記観察者の左眼により前記２つの画素とは異なる２つの画素が前記予め定めた１つの開口領域を通して同時に視認可能に、配置されていることを特徴とする請求項４記載の表示装置。
【請求項６】
前記予め定めた１つの開口領域を通して前記観察者の右眼により同時に視認可能な２つの画素に対して右眼用画像として同一の画素データを割り当てるとともに、前記予め定めた１つの開口領域を通して前記観察者の左眼により同時に視認可能な２つの画素に対して左眼用画像として同一の画素データを割り当てる制御部を備えたことを特徴とする請求項５記載の表示装置。
【請求項７】
前記開口領域は、形状が正方形に形成されていることを特徴とする請求項１乃至６いずれか記載の表示装置。
【請求項８】
パララックスバリア方式により立体画像を表示する表示装置であって、
第１の画素と、前記第１の画素に対して第１の方向に隣接する第２の画素と、前記第１の画素に対して前記第１の方向に直交する第２の方向に隣接する第３の画素と、前記第３の画素に対して前記第１の方向に隣接する第４の画素と、が表示領域に形成された表示手段と、
前記表示領域に対向して設けられた視差バリアと、
前記画素に画素データを割り当てる制御部と、
前記表示手段の回転状態を判定する判定部と、
を備え、
前記制御部は、
前記判定部により前記表示手段が第１の回転状態にあると判定されたときに、前記第１の画素と前記第２の画素とに右眼用画像として同一の画素データを割り当てるとともに、前記第３の画素と前記第４の画素とに左眼用画像として同一の画素データを割り当て、
前記判定部により前記表示手段が前記第１の回転状態から予め定めた方向に９０度回転した第２の回転状態にあると判定されたときに、前記第２の画素と前記第４の画素とに右眼用画像として同一の画素データを割り当てるとともに、前記第１の画素と前記第３の画素とに左眼用画像として同一の画素データを割り当てることを特徴とする表示装置。
【請求項９】
前記視差バリアは、前記第１の画素と前記第２の画素と前記第３の画素と前記第４の画素とに共通に対応した光の透過領域としての開口領域が形成されていることを特徴とする請求項８記載の表示装置。
【請求項１０】
前記開口領域は、９０度の回転に対して回転対称になる形状に形成されていることを特徴とする請求項９記載の表示装置。
【請求項１１】
前記開口領域は、
前記表示手段が前記第１の回転状態にあるときに、前記開口領域を通して予め定めた位置から前記表示領域を観察する観察者の右眼によって前記第１の画素と前記第２の画素とが視認可能なように、且つ、前記観察者の左眼によって前記第３の画素と前記第４の画素とが視認可能なように、配置されていることを特徴とする請求項１０記載の表示装置。
【請求項１２】
前記開口領域は、
前記表示手段が前記第１の回転状態にあるときに、前記開口領域を通して予め定めた位置から前記表示領域を観察する観察者の右眼によって前記第３の画素と前記第４の画素とが視認されないように、且つ、前記観察者の左眼によって前記第１の画素と前記第２の画素とが視認されないように、配置されていることを特徴とする請求項１１記載の表示装置。
【請求項１３】
前記開口領域は、
前記表示手段が前記第２の回転状態にあるときに、前記開口領域を通して予め定めた位置から前記表示領域を観察する観察者の右眼によって前記第２の画素と前記第４の画素とが視認可能なように、且つ、前記観察者の左眼によって前記第１の画素と前記第３の画素とが視認可能なように、配置されていることを特徴とする請求項１１記載の表示装置。
【請求項１４】
前記開口領域は、
前記表示手段が前記第２の回転状態にあるときに、前記開口領域を通して予め定めた位置から前記表示領域を観察する観察者の右眼によって前記第１の画素と前記第３の画素とが視認されないように、且つ、前記観察者の左眼によって前記第２の画素と前記第４の画素とが視認されないように、配置されていることを特徴とする請求項１３記載の表示装置。
【請求項１５】
前記表示手段は、カラーフィルタがストライプ配列され、
前記第１の画素と前記第２の画素と前記第３の画素と前記第４の画素のそれぞれは、互いに異なる色成分が割り当てられた３つのサブピクセルにより形成されていることを特徴とする請求項８乃至１４いずれか記載の表示装置。
【請求項１６】
前記カラーフィルタは、前記第１の方向に沿って同一の色成分が延伸するように、且つ、前記第２の方向に沿って異なる色成分が交互に配置されるように、ストライプ配列されていることを特徴とする請求項１５記載の表示装置。
【請求項１７】
パララックスバリア方式により立体画像を表示する画像制御方法であって、
表示手段が第１の回転状態にあるときに、第１の画素と前記第１の画素に対して第１の方向に隣接する第２の画素とに右眼用画像として同一の画素データを割り当てるとともに、前記第１の画素に対して前記第１の方向に直交する第２の方向に隣接する第３の画素と前記第３の画素に対して前記第１の方向に隣接する第４の画素とに左眼用画像として同一の画素データを割り当て、
前記表示手段が前記第１の回転状態から予め定めた方向に９０度回転した第２の回転状態にあるときに、前記第２の画素と前記第４の画素とに右眼用画像として同一の画素データを割り当てるとともに、前記第１の画素と前記第３の画素とに左眼用画像として同一の画素データを割り当てることを特徴とする画像制御方法。